(57)【要約】【課題】簡素な構成にて、シャッタ機構の確実な開動作とそのと閉状態の安定性とを両立することのできるグリルシャッタ装置を提供すること。【解決手段】各可動フィン１４は、グリル開口部から流れ込む空気の圧力に基づき当該各可動フィン１４に開方向のモーメントが発生するように、その回動中心Ｐを挟む二方向のフィン長さＬ１，Ｌ２が不等長（Ｌ１＞Ｌ２）に設定される。そして、フレーム１３の上枠部１６及び下枠部２６には、それぞれ、各可動フィン１４が閉方向に回動するとき、そのフィン先２１ａ，２２ａの移動する方向に位置して当該フィン先２１ａ，２２ａとの間に空気の流路Ｘ１，Ｘ２を形成する壁面３１ａ，３２ａを有した第１突部３１及び第２突部３２が設けられる。【選択図】図３
2013193603.tif 000002
【特許請求の範囲】
【請求項１】
回動軸回りに回動する可動フィンを有して車体前部のグリル開口部に設けられたシャッタ機構の開閉動作に基づいて、前記グリル開口部から前記車体内に流れ込む空気の流量を制御可能なグリルシャッタ装置において、
前記グリル開口部から流れ込む空気の圧力に基づき前記可動フィンに開方向のモーメントが発生するように、前記可動フィンの回動中心を挟んだ二方向のフィン長さを不等長にするとともに、
前記可動フィンが閉方向に回動するとき、該可動フィンの先端が移動する方向に、該先端との間に前記空気の流路を形成する壁面が位置するようにしたこと、
を特徴とするグリルシャッタ装置。
【請求項２】
請求項１に記載のグリルシャッタ装置において、
前記壁面は、前記可動フィンを支持する構造体に形成されること、
を特徴とするグリルシャッタ装置。
【請求項３】
請求項１又は請求項２に記載のグリルシャッタ装置において、
並列配置された複数の前記可動フィンを備えるとともに、
前記各可動フィンは、前記閉方向の回動により、隣りの列の前記可動フィンと前記空気の流入方向において重複するように配置されること、を特徴とするグリルシャッタ装置。
【請求項４】
請求項１〜請求項３の何れか一項に記載のグリルシャッタ装置において、
前記可動フィンは、重力に基づく前記開方向のモーメントが発生するように構成されること、を特徴とするグリルシャッタ装置。
【発明の詳細な説明】
【技術分野】
【０００１】
本発明は、グリルシャッタ装置に関するものである。
【背景技術】
【０００２】
従来、車体前部のグリル開口部に設けられたシャッタ機構の開閉動作に基づいて、そのグリル開口部からエンジンルーム内に流れ込む空気の流量を制御可能なグリルシャッタ装置がある。例えば、特許文献１に記載のグリルシャッタ装置では、グリル開口部内に設けられたフレームの内側に複数の可動フィンを整列配置することにより、そのシャッタ機構が形成されている。そして、モータ駆動により各可動フィンを回動軸回りに回動させることにより、そのフレームの内側に形成される流路を開閉することが可能となっている。
【０００３】
即ち、例えば、高速走行時、シャッタ機構を閉状態としてエンジンルーム内への空気の流入を制限することにより、その空力性能（例えば「Ｃｄ値」等）を向上させることができる。また、エンジン始動時には、そのラジエータに導入する流量を抑えることで、その暖機時間を短縮することができる。そして、エンジン温度が上昇傾向にある場合には、シャッタ機構を開状態としてエンジンルーム内に流れ込む流量を増やすことにより、そのエンジン温度を適切に管理することができる。
【０００４】
また、このようなグリルシャッタ装置では、イグニッションスイッチ（ＩＧスイッチ）のオフにより通常の開閉制御が終了した後は、そのシャッタ機構を開動作させる構成が一般的となっている。そして、特許文献１には、シャッタ機構の駆動モータに供給する電圧が低下した場合に、通常の開閉制御を強制的に終了して、速やかにシャッタ機構を開動作させる構成が開示されている。
【０００５】
即ち、例えば、システム故障時等、シャッタ機構が閉状態のまま固着した場合には、その車体内に流入する空気の流量が不足する可能性があり、その結果、エンジン等、その発熱部位の冷却性能が低下するおそれがある。このため、グリルシャッタ装置においては、その開状態の確保が重要な課題となっている。
【０００６】
この点を踏まえ、特許文献１に記載のグリルシャッタ装置は、必要な駆動電圧を確保できるうちにシャッタ機構の開状態を確保する。そして、これにより、そのシャッタ機構が閉固着したまま車両が走行状態になることを回避する構成になっている。
【先行技術文献】
【特許文献】
【０００７】
【特許文献１】特開２０１０−２６０４４０号公報
【発明の概要】
【発明が解決しようとする課題】
【０００８】
しかしながら、グリルシャッタ装置においては、そのシャッタ機構における閉状態の安定性もまた、重要な課題の一つとなっている。即ち、シャッタ機構を閉状態で維持するためには、グリル開口部から流れ込む空気の圧力（風圧）に抗して各可動フィンの動作位置を保持しなければならない。このため、その必要な駆動力を確保するために駆動モータが大型化してしまうという問題が生ずる。
【０００９】
そこで、例えば、各可動フィンと駆動モータとの間の動力伝達経路の途中にクラッチを設ける、或いは、その減速機にウォームギヤを用いる等によって、出力側からの逆入力回転を伝達しない構成が考えられる。しかしながら、クラッチを設けることで、その構成が複雑化する。そして、出力側からの逆回転入力を許容しない構成とした場合には、搭乗者がシャッタ機構の閉固着に気付いたとしても、手動で可動フィン側からシャッタ機構を開動作させることができないという問題があり、この点において、なお改善の余地を残すものとなっていた。
【００１０】
本発明は、上記問題点を解決するためになされたものであって、その目的は、簡素な構成にて、シャッタ機構の確実な開動作とその閉状態の安定性とを両立することのできるグリルシャッタ装置を提供することにある。
【課題を解決するための手段】
【００１１】
上記問題点を解決するために、請求項１に記載の発明は、回動軸回りに回動する可動フィンを有して車体前部のグリル開口部に設けられたシャッタ機構の開閉動作に基づいて、前記グリル開口部から前記車体内に流れ込む空気の流量を制御可能なグリルシャッタ装置において、前記グリル開口部から流れ込む空気の圧力に基づき前記可動フィンに開方向のモーメントが発生するように、前記可動フィンの回動中心を挟んだ二方向のフィン長さを不等長にするとともに、前記可動フィンが閉方向に回動するとき、該可動フィンの先端が移動する方向に、該先端との間に前記空気の流路を形成する壁面が位置するようにしたこと、要旨とする。
【００１２】
即ち、グリル開口部から流れ込む空気の圧力（風圧）に基づく開方向のモーメントが可動フィンに発生することで、シャッタ機構が開動作しやすくなる。その結果、より確実に、シャッタ機構を開動作させることができる。そして、特に、発熱部位（エンジン等）の冷却が必要な走行状態において、有効に、そのシャッタ機構が閉固着したままとなることを防ぐことができる。また、可動フィンが全閉状態に近い位置まで回動することにより、そのフィン先が壁面との間に形成する流路には、当該流路を流れる空気の流速に基づいた負圧が発生する（ベンチュリー効果）。そして、この負圧を利用することにより、大きな駆動力を必要とすることなく、安定的に可動フィンを全閉状態に近い回動位置で保持することができる。更に、クラッチ等の複雑な保持機構が不要であるとともに、ウォームギヤ等を用いた出力側からの逆入力回転を規制する構成も不要となる。その結果、搭乗者がシャッタ機構に閉固着が発生したことに気付いた場合には、手動で可動フィン側からシャッタ機構を開動作させることができるようになる。従って、上記構成によれば、出力側からの逆入力回転が許容されるような簡素な構成にて、シャッタ機構の確実な開動作とその閉状態の安定性とを両立することができる。
【００１３】
請求項２に記載の発明は、前記壁面は、前記可動フィンを支持する構造体に形成されること、要旨とする。
即ち、例えば、枠状のフレームのような剛性の高い構造体に壁面を形成することにより、その流路に生ずる負圧を有効に利用して、効率よく可動フィンに閉方向のモーメントを発生させることができる。従って、上記構成によれば、より安定的に、シャッタ機構を閉状態で維持することができる。
【００１４】
請求項３に記載の発明は、並列配置された複数の前記可動フィンを備えるとともに、前記各可動フィンは、前記閉方向の回動により、隣りの列の前記可動フィンと前記空気の流入方向において重複するように配置されること、要旨とする。
【００１５】
上記構成によれば、他の可動フィンの外表面を壁面として、そのフィン先に流路が形成される。そして、この流路に生ずる負圧を利用して、効率よく各可動フィンに閉方向のモーメントを発生させることができる。その結果、より安定的に、シャッタ機構を閉状態で維持することができる。
【００１６】
請求項４に記載の発明は、前記可動フィンは、重力に基づく前記開方向のモーメントが発生するように構成されること、要旨とする。
上記構成によれば、更にシャッタ機構が開動作しやすくなる。その結果、より確実に、シャッタ機構を開動作させることができる。
【発明の効果】
【００１７】
本発明によれば、簡素な構成にて、シャッタ機構の確実な開動作とその閉状態の安定性とを両立することが可能なグリルシャッタ装置を提供することができる。
【図面の簡単な説明】
【００１８】
【図１】本発明にかかるグリルシャッタ装置が搭載された車両の概略構成を示す模式図。
【図２】グリルシャッタ装置の斜視図。
【図３】グリルシャッタ装置の断面図。
【図４】フレームの上枠部と可動フィンのフィン先との間に形成される流路の説明図。
【図５】フレームの下枠部と可動フィンのフィン先との間に形成される流路の説明図。
【図６】各可動フィンのフィン先間に形成される流路の説明図。
【図７】別例のグリルシャッタ装置の概略構成を示す断面図。
【図８】別例のグリルシャッタ装置の概略構成を示す断面図。
【発明を実施するための形態】
【００１９】
以下、本発明を具体化した一実施形態を図面に従って説明する。
図１に示す車両１において、車体２の内部に形成されたエンジンルーム３には、そのエンジン４を冷却するためのラジエータ５が収容されている。また、車体２の前部（同図中、左側の端部）には、車両前方の外部空間と車体２の内部空間とを連通するグリル開口部７が形成されている。そして、上記ラジエータ５は、このグリル開口部７からエンジンルーム３に流れ込む空気が当たるように、エンジン４の前方に配置されている。
【００２０】
尚、ラジエータ５の後方（同図中、右側）には、ファン６が設けられている。そして、このファン６が回転することにより、効率良く、ラジエータ５に空気が流れるようになっている。
【００２１】
本実施形態では、グリル開口部７は、バンパー８の下方に形成されている。また、グリル開口部７の開口端７ａには、その意匠面（ロアグリル）を構成するフロントグリル９が取着されている。そして、本実施形態の車両１は、そのグリル開口部７からエンジンルーム３内に流れ込む空気の流量を制御可能なグリルシャッタ装置１０を備えている。
【００２２】
詳述すると、グリルシャッタ装置１０は、その開閉動作に基づいて空気の流量を制御可能なシャッタ機構１１と、このシャッタ機構１１をグリル開口部７内に支持する構造体としてのフレーム１３とを備えている。
【００２３】
図２に示すように、フレーム１３は、車体２の幅方向に延びる横長の略四角枠状に形成されている。また、シャッタ機構１１は、フレーム１３の枠内に複数の可動フィン１４を整列配置することにより形成されている。更に、フレーム１３には、これら各可動フィン１４を開閉駆動するアクチュエータ部１５が設けられている。そして、図１に示すように、フレーム１３は、その上枠部１６がバンパーリインフォース１７に固定されることにより、グリル開口部７内に配置されている。
【００２４】
さらに詳述すると、図２に示すように、本実施形態のアクチュエータ部１５は、略柱状の外形を有してフレーム１３の幅方向略中央部に設けられている。そして、これにより、フレーム１３の枠内には、アクチュエータ部１５によって区画された左右二つの開口部１３Ａ，１３Ｂが形成されている。
【００２５】
一方、各可動フィン１４は、フレーム１３の幅方向に延びる長尺略平板状のフィン部１８を備えるとともに、それぞれ、その対応するアクチュエータ部１５の側面１５ａ，１５ｂ及びこれに対向するフレーム１３の内側面１３ａ，１３ｂ間に掛け渡された回動軸１９を有している。具体的には、各開口部１３Ａ，１３Ｂ内には、それぞれ、上下の可動フィン１４（１４Ａ，１４Ｂ）が二列平行に配置されている。そして、アクチュエータ部１５は、各可動フィン１４を回動軸１９回りに回動させることにより、そのシャッタ機構１１を開閉駆動することが可能となっている。
【００２６】
即ち、図１に示すように、本実施形態のシャッタ機構１１は、グリル開口部７から流れ込む空気の流入方向に対してフィン部１８が並行する状態となる方向（同図中、時計回り方向）に各可動フィン１４が回動することにより開状態となる。そして、空気の流入方向に対してフィン部１８が交差する状態となる方向（同図中、反時計回り方向）に各可動フィン１４が回動することにより閉状態となる。
【００２７】
本実施形態のグリルシャッタ装置１０は、このような各可動フィン１４の回動をアクチュエータ部１５により制御する。そして、その各可動フィン１４の回動によるシャッタ機構１１の開閉動作に基づいて、グリル開口部７からエンジンルーム３内に流れ込む空気の流量を制御することが可能となっている。
【００２８】
また、図３に示すように、本実施形態では、各可動フィン１４において、そのフィン部１８は、回動軸１９を挟んで逆向きに延びる第１フィン部２１及び第２フィン部２２により構成されている。そして、各可動フィン１４は、その回動中心Ｐから第１フィン部２１の先端（フィン先２１ａ）までのフィン長さＬ１と、回動中心Ｐから第２フィン部２２側の先端（フィン先２２ａ）までのフィン長さＬ２とが不等長となっている。
【００２９】
具体的には、各可動フィン１４において、その第１フィン部２１側のフィン長さＬ１は、第２フィン部２２側のフィン長さＬ２よりも長くなっている（Ｌ１＞Ｌ２）。即ち、本実施形態では、第１フィン部２１が長フィン部を構成し、第２フィン部２２が短フィン部を構成する。また、各可動フィン１４は、その第１フィン部２１が回動軸１９の上方（同図中、上側）に位置するように配置されている。そして、本実施形態では、これにより、各可動フィン１４に開方向のモーメントを与える構成となっている。
【００３０】
詳述すると、上記のように、各可動フィン１４は、回動軸１９を中心として（回動中心Ｐ）、そのフィン先２１ａ，２２ａが円弧状の軌跡を描くように回動する。そして、本実施形態では、その第１フィン部２１側のフィン先２１ａが空気の流入方向上流側（同図中、左側）に向かって移動するような各可動フィン１４の回動方向（同図中、反時計回り方向）が、シャッタ機構１１の閉動作に対応した「閉方向」となっている。
【００３１】
即ち、各可動フィン１４には、グリル開口部７から流れ込む空気の圧力（風圧）に基づいて、当該各可動フィン１４を下流側（同図中、右側）に向かって押圧する力が作用する。そして、本実施形態では、その回動中心Ｐを挟む二方向のフィン長さＬ１，Ｌ２のうち、第１フィン部２１側を長くすることにより、そのフィン先２１ａが空気の流入方向下流側（同図中、右側）に向かって移動するような回転力（同図中、時計回り方向）、即ち開方向のモーメントが各可動フィン１４に発生するようになっている。
【００３２】
さらに、各可動フィン１４の重量バランスは、その第１フィン部２１と第２フィン部２２とのフィン長さＬ１，Ｌ２の違いに基づいて、回動軸１９の上方に位置する第１フィン部２１側の方が回動軸１９の下方に位置する第２フィン部２２側よりも重くなっている。そして、本実施形態では、これにより、重力に基づいて、そのフィン先２１ａが空気の流入方向下流側（同図中、右側）に向かって移動するような回転力（同図中、時計回り方向）、即ち開方向のモーメントが各可動フィン１４に発生するようになっている。
【００３３】
また、本実施形態では、フレーム１３の上枠部１６及び下枠部２６には、それぞれ、その内壁面１６ａ，２６ａからフレーム１３の枠内に突出する第１突部３１及び第２突部３２が設けられている。
【００３４】
詳述すると、第１突部３１は、各可動フィン１４が閉方向に回動するとき、上側の各可動フィン１４Ａにおける第１フィン部２１のフィン先２１ａが移動する方向、即ち空気の流入方向上流側となる位置において、上枠部１６の内壁面１６ａから下方に向かって突出するように設けられている（同図中、領域α１）。そして、第２突部３２は、各可動フィン１４が閉方向に回動するとき、下側の各可動フィン１４Ｂにおける第２フィン部２２のフィン先２２ａが移動する方向、即ち空気の流入方向下流側となる位置において、下枠部２６の内壁面２６ａから上方に向かって突出するように設けられている（同図中、領域α２）。
【００３５】
具体的には、図４に示すように、第１突部３１は、各可動フィン１４が全閉状態に対応する回動位置にある場合において、上側の各可動フィン１４Ａのフィン先２１ａに対向する壁面３１ａを有している。また、図５に示すように、第２突部３２は、各可動フィン１４が全閉状態に対応する回動位置にある場合において、下側の各可動フィン１４Ｂのフィン先２２ａに対向する壁面３２ａを有している。そして、図４及び図５に示すように、本実施形態では、これにより、その第１突部３１の壁面３１ａと上側の各可動フィン１４Ａのフィン先２１ａとの間、及び第２突部３２の壁面３２ａと下側の各可動フィン１４Ｂのフィン先２２ａとの間に、それぞれ、グリル開口部７から流れ込む空気の流路Ｘ１，Ｘ２が形成されるようになっている。
【００３６】
さらに、図３に示すように、各可動フィン１４は、全閉状態に対応する回動位置にあるとき、その上下方向に隣り合う各可動フィン１４の先端が互いに重なり合う、即ち上側の各可動フィン１４Ａのフィン先２２ａと下側の各可動フィン１４Ｂのフィン先２１ａとが空気の流入方向において重複するように配置されている（同図中、領域α３）。そして、図６に示すように、本実施形態では、これにより、これら上側の各可動フィン１４Ａのフィン先２２ａと下側の各可動フィン１４Ｂのフィン先２１ａとの間にも、互いの外表面Ｓを壁面として、グリル開口部７から流れ込む空気の流路Ｘ３が形成されるようになっている。
【００３７】
次に、本実施形態のグリルシャッタ装置１０の作用について説明する。
本実施形態では、各可動フィン１４が閉方向に回動することによって、上側の各可動フィン１４Ａのフィン先２１ａ及び下側の各可動フィン１４Ｂのフィン先２２ａと、これら各フィン先２１ａ，２２ａに対向する壁面３１ａ，３２ａとの間に、それぞれ、グリル開口部７から流れ込む空気の流路Ｘ１，Ｘ２が形成される。そして、上側の各可動フィン１４Ａのフィン先２２ａと下側の各可動フィン１４Ｂのフィン先２１ａとの間にも、互いの外表面Ｓを壁面として、グリル開口部７から流れ込む空気の流路Ｘ３が形成される。
【００３８】
即ち、これらの各流路Ｘ１，Ｘ２，Ｘ３は、各可動フィン１４が閉方向側に回動するほど狭くなる。そして、各可動フィン１４が全閉状態に近い位置まで回動した状態においては、その流速の上昇に基づいて、これらの各流路Ｘ１，Ｘ２，Ｘ３に所謂ベンチュリー効果による負圧が生ずることになる。
【００３９】
本実施形態のグリルシャッタ装置１０は、この負圧を利用して各可動フィン１４に閉方向のモーメントを発生させる。そして、これにより、大きな駆動力を要することなく、当該各可動フィン１４を全閉状態に近い回動位置で保持することが可能となっている。
【００４０】
以上、本実施形態によれば、以下のような効果を得ることができる。
（１）各可動フィン１４は、グリル開口部７から流れ込む空気の圧力に基づき当該各可動フィン１４に開方向のモーメントが発生するように、その回動中心Ｐを挟む二方向のフィン長さＬ１，Ｌ２が不等長（Ｌ１＞Ｌ２）に設定される。そして、フレーム１３の上枠部１６及び下枠部２６には、それぞれ、各可動フィン１４が閉方向に回動するとき、そのフィン先２１ａ，２２ａの移動する方向に位置して当該フィン先との間に空気の流路Ｘ１，Ｘ２を形成する壁面３１ａ，３２ａを有した第１突部３１及び第２突部３２が設けられる。
【００４１】
即ち、風圧により開方向のモーメントが各可動フィン１４に発生することで、シャッタ機構１１が開動作しやすくなる。その結果、より確実に、シャッタ機構１１を開動作させることができる。そして、特に、発熱部位（エンジン等）の冷却が必要な走行状態において、有効に、そのシャッタ機構１１が閉固着したままとなることを防ぐことができる。また、各可動フィン１４が全閉状態に近い位置まで回動することにより、その各フィン先２１ａ，２２ａが各壁面３１ａ，３２ａとの間に形成する流路Ｘ１，Ｘ２には、当該流路Ｘ１，Ｘ２を流れる空気の流速に基づいた負圧が発生する（ベンチュリー効果）。そして、この負圧を利用することにより、大きな駆動力を必要とすることなく、安定的に各可動フィン１４を全閉状態に近い回動位置で保持することができるようになる。更に、クラッチ等の複雑な保持機構が不要であるとともに、ウォームギヤ等を用いた出力側からの逆入力回転を規制する構成も不要となる。その結果、搭乗者がシャッタ機構１１に閉固着が発生したことに気付いた場合には、手動で可動フィン１４側からシャッタ機構を開動作させることができるようになる。従って、上記構成によれば、出力側からの逆入力回転が許容されるような簡素な構成にて、シャッタ機構１１の確実な開動作とその閉状態の安定性とを両立することができる。
【００４２】
（２）さらに、フレーム１３のような剛性の高い箇所に各壁面３１ａ，３２ａを形成することにより、各流路Ｘ１，Ｘ２に生ずる負圧を有効に利用して、効率よく各可動フィン１４に閉方向のモーメントを発生させることができる。その結果、より安定的に、シャッタ機構１１を閉状態で維持することができる。
【００４３】
（３）各可動フィン１４は、全閉状態に対応する回動位置にある場合において、その上下方向に隣り合う可動フィン１４の先端が互いに重なり合う、即ち上側の各可動フィン１４Ａのフィン先２２ａと下側の各可動フィン１４Ｂのフィン先２１ａとが空気の流入方向において重複するように配置される。
【００４４】
上記構成によれば、上側の各可動フィン１４Ａのフィン先２２ａと下側の各可動フィン１４Ｂのフィン先２１ａとの間にも、互いの外表面Ｓを壁面とする流路Ｘ３が形成される。そして、この流路Ｘ３に生ずる負圧、即ち当該流路Ｘ３を形成するフィン先２２ａ，２１ａが閉方向に向かって互いに引き合う力を利用して、効率よく各可動フィン１４に閉方向のモーメントを発生させることができる。その結果、より安定的に、シャッタ機構１１を閉状態で維持することができる。
【００４５】
（４）各可動フィン１４は、第１フィン部２１と第２フィン部２２とのフィン長さＬ１，Ｌ２の違いに基づいて、回動軸１９の上方に位置する第１フィン部２１側の方が回動軸１９の下方に位置する第２フィン部２２側よりも重くなるように、その重量バランスが設定される。そして、各可動フィン１４は、その重量バランスによって、重力に基づく開方向のモーメントが発生するように構成される。
【００４６】
上記構成によれば、更にシャッタ機構１１が開動作しやすくなる。その結果、より確実に、シャッタ機構１１を開動作させることができる。
なお、上記実施形態は以下のように変更してもよい。
【００４７】
・上記各実施形態では、グリル開口部７から流れ込む空気は、車体２内に形成されたエンジンルーム３内に取り入れられることとした。しかし、これに限らず、シャッタ機構１１の開閉動作に基づいて、流れ込む空気の流量を制御可能な車体２の内部空間であれば、その空気の取り入れ先は、エンジンルーム３でなくともよい。即ち、例えば、ラジエータ５のような熱交換器の収容室等、グリル開口部７から流れ込む空気が導入される空間があればよく、車体の後部又は中央にエンジンが配置された車両、或いは電気自動車等、車室よりも前方の車体内空間にエンジンが搭載されていない車両に適用してもよい。
【００４８】
・上記実施形態では、グリル開口部７は、バンパー８の下方に形成されることとした。しかし、これに限らず、本発明は、バンパー８の上方に設けられたグリル開口部７について適用してもよい。即ち、フロントグリル９は、アッパグリルであってもよい。
【００４９】
・また、上記各実施形態では、アクチュエータ部１５により区画されたフレーム１３の各開口部１３Ａ，１３Ｂ内に、それぞれ、上下の可動フィン１４が二列並列に配設されることとした。しかし、各可動フィンの数は、必ずしもこれに限るものではない。即ち、例えば、三列以上の可動フィンを備える構成であってもよい。また、各可動フィンが一列に配列されものでもよい。そして、一つの可動フィンの開閉動作により流量制御を行うものに適用してもよい。
【００５０】
・さらに、アクチュエータ部１５の配置や可動フィンの配列についても適宜変更してもよい。例えば、フレーム１３の幅方向端部にアクチュエータ部を配置してもよい。また、上下方向に掛け渡された回動軸を有する等により、フレームの枠内において各可動フィンが縦型に配列される構成に具体化してもよい。尚、この場合、フィン先との間に流路を形成する壁面は、フレームの側枠部に形成するとよい。
【００５１】
・また、可動フィンを支持する構造体の形状は、必ずしもフレーム１３のような四角枠状でなくともよい。
・上記実施形態では、フレーム１３の上枠部１６に設けられた第１突部３１の壁面３１ａと上側の各可動フィン１４Ａのフィン先２１ａとの間に流路Ｘ１が形成される。また、フレーム１３の下枠部２６に設けられた第２突部３２の壁面３２ａと下側の各可動フィン１４Ｂのフィン先２２ａとの間に流路Ｘ２が形成される。そして、上側の各可動フィン１４Ａのフィン先２２ａと下側の各可動フィン１４Ｂのフィン先２１ａとの間にも、互いの外表面Ｓを壁面とする流路Ｘ３が形成されることとした。しかし、これに限らず、フレーム１３の上枠部１６との間の流路Ｘ１、下枠部２６との間の流路Ｘ２、又はフィン先２２ａ及びフィン先２１ａ間の流路Ｘ３の何れかのみが形成される構成であってもよい。また、これら各流路Ｘ１，Ｘ２，Ｘ３の何れかが形成されない構成であってもよい。
【００５２】
・上記実施形態では、長フィン部としての第１フィン部２１側が回動軸１９の上方に位置するように各可動フィン１４を配置することとした。しかし、これに限らず、図７に示すように、その第１フィン部２１側が回動軸１９の下側に位置するように各可動フィン１４を配置する構成としてもよい。尚、この図７に示す例では、シャッタ機構１１の閉動作に対応する各可動フィン１４の回動方向（閉方向）は、上記実施形態とは逆向きになる（同図中、時計回り方向、図３においては反時計回り方向が閉方向）。従って、各可動フィン１４に、重力に基づく開方向のモーメントを発生させるためには、その短フィン部側となる第２フィン部２２にバラストを設ける等、回動軸１９の上方に位置する第２フィン部２２側の方が回動軸１９の下方に位置する第１フィン部２１側よりも重くなるように、その重量バランスを設定するとよい。
【００５３】
・また、図８に示すように、その回動中心Ｐを挟んだ一方のフィン長さＬ２が回動軸１９の半径と略等しい、即ちそのフィン部４１が実質的に一方向のみに延設された可動フィン４４を備える構成に具体化してもよい。尚、この場合、各可動フィン４４の回動によって、そのフィン部４１のフィン先４１ａが隣りの列の可動フィン４４の回動軸１９に重複するようにするとよい。これにより、両者の間に上記実施形態における流路Ｘ３と同様、流速に基づいた負圧が発生するような流路を形成することができる。
【００５４】
・上記実施形態では、各可動フィン１４に、重力に基づく開方向のモーメントを発生させることとしたが、このような重力に基づく開方向のモーメントが発生しない構成としてもよい。
【００５５】
次に、以上の実施形態から把握することのできる技術的思想を効果とともに記載する。
（イ）前記可動フィンは、前記回動軸を挟んで逆向きに延びる長フィン部及び短フィン部を有すること、を特徴とするグリルシャッタ装置。
【００５６】
（ロ）前記可動フィンは、前記二方向のフィン長さが不等長であることに基づいて、重力に基づく開方向のモーメントが発生するように構成されること、を要旨とする。このように構成することで、更にシャッタ機構が開動作しやすくなる。その結果、より確実に、シャッタ機構を開動作させることができる。
【符号の説明】
【００５７】
１…車両、２…車体、７…グリル開口部、１０…グリルシャッタ装置、１１…シャッタ機構、１３…フレーム（構造体）、１４（１４Ａ，１４Ｂ）…可動フィン、１５…アクチュエータ部、１６…上枠部、１６ａ…内壁面、１８…フィン部、１９…回動軸、２１…第１フィン部（長フィン部）、２１ａ…フィン先、２２…第２フィン部（短フィン部）、２２ａ…フィン先、２６…下枠部、２６ａ…内壁面、３１…第１突部、３１ａ…壁面、３２…第２突部、３２ａ…壁面、４１…フィン部、４１ａ…フィン先、４４…可動フィン、Ｐ…回動中心、Ｌ１，Ｌ２…フィン長さ、Ｘ１，Ｘ２，Ｘ３…流路、Ｓ…外表面。
【図１】
2013193603.tif 000003
【図２】
2013193603.tif 000004
【図３】
2013193603.tif 000005
【図４】
2013193603.tif 000006
【図５】
2013193603.tif 000007
【図６】
2013193603.tif 000008
【図７】
2013193603.tif 000009
【図８】
2013193603.tif 000010